(57)【要約】【課題】  リュックサックにおける肩掛けバンドや胸バンドの連結を、身体の前部側において誰にでも簡単に行い得るようにする。【解決手段】  左右の肩掛けバンド３、４の上端部同士を、硬質の連結バンド６により連動可能に接続し、一方の肩掛けバンド３を一方の肩に掛けてリュック本体１を背中に位置させたとき、他方の肩掛けバンド４の上端の肩当て支持部７が他方の肩の上面よりも前方に位置するようにする。【選択図】  図１
0003104318.tif 000002
【実用新案登録請求の範囲】
【請求項１】
リュック本体の上端と下端部前面の左右両側部に、左右１対の肩掛けバンドを取付けてなるリュックサックにおいて、
前記左右１対の肩掛けバンドのうち少なくとも一方の肩掛けバンドを、上下に分離自在とし、かつ、分離された上下のバンドを連結手段を介して連結自在に構成するとともに、当該一方の肩掛けバンドの上端部に、他方の肩掛けバンドを一方の肩に掛けてリュック本体を背中に位置させたとき、その動きと連動して前上方を向き、前端が他方の肩の上面もしくはそれよりも若干前方に位置する肩当て支持部を形成したことを特徴とするリュックサック。
【請求項２】
左右の肩掛けバンドの上端部同士を、硬質の連結バンドにより接続又は硬質の連結バンドにより一体的に形成することにより、肩当て支持部が他方の肩掛けバンドと連動するようにした請求項１に記載のリュックサック。
【請求項３】
連結バンドを適度の可撓性を有するものとした請求項２に記載のリュックサック。
【請求項４】
連結バンドを、リュック本体の上端に回動自在に取付けることにより、リュック本体の前面に沿って折り畳み可能とした請求項２または３に記載のリュックサック。
【請求項５】
前記リュック本体の下端部前面における前記他方の肩掛けバンドの反対側の側部に、前記上下に分離された肩掛けバンドにおける上部バンドの下端を連結するための連結片を、前方を向くように取付けた請求項１ないし４のいずれかに記載のリュックサック。
【請求項６】
リュック本体の上端と下端部前面の一側端部に肩掛けバンドを取付けるとともに、この肩掛けバンドの中間部とリュック本体の下端部前面の他側端部とを、斜め上下方向を向く胸バンドにより接続するようにしたリュックサックにおいて、
前記リュック本体の下端部前面の他側端部に、前記胸バンドの下端を連結するための連結片を、前方を向くように取付けたことを特徴とするリュックサック。
【請求項７】
連結片の前端部を斜め前上方に折曲した請求項５または６に記載のリュックサック。
【請求項８】
連結片を、その後端を中心としてリュック本体の前面側に折り畳み可能とした請求項５ないし７のいずれかに記載のリュックサック。
【請求項９】
連結片を着脱可能に取付けた請求項５ないし８のいずれかに記載のリュックサック。
【考案の詳細な説明】
【技術分野】
【０００１】
本考案は、肩に掛けて背負うリュックサックに関する。
【背景技術】
【０００２】
この種のリュックサックとしては、リュック本体の前面、すなわち、背当て面における上端と下端部の左右両側部とに、左右１対の肩掛けバンドを取付け、両肩掛けバンドに両腕を通して両肩に掛けてリュック本体を背中で背負うものがある。
【０００３】
また、肩掛けバンドを左右いずれか一方として、それを片方の腕に通して片方の肩に掛け、リュック本体を背中に回したのち、肩掛けバンドの中間部と、それと反対側のリュック本体の前面の側端下部とを、胸部の前面において斜め上下方向を向く胸バンドにより連結するようにした、小型で簡易なリュックサックもある。
【考案の開示】
【考案が解決しようとする課題】
【０００４】
上述した前者のようなリュックサックは、左右の肩掛けバンドは別々にリュック本体に取付けられているのが一般的であり、特に、上端はリュック本体に縫い付けてあるため、不使用時において左右の肩掛けバンドは、リュック本体の前面に沿って垂れ下がった状態となっている。
【０００５】
そのため、一人でリュックサックを背負うべく、一方の肩掛けバンドを片方の肩に掛けてリュック本体を背中に回し、他方の肩掛けバンドを肩に掛けようとする際に、他方の肩掛けバンドが背中の後方に垂れ下がってしまい、見えにくいため、腕を大きく後方に折り曲げ、手さぐり状態で肩掛けバンドに通す必要があり、子供や老人、肩や腕が不自由な人にとっては、非常に面倒である。
【０００６】
一方、上記後者のリュックサックにおいても、肩掛けバンドを片方の肩に掛けてリュック本体を背中に回した状態では、その前面の側端部に取付けられた胸バンドの連結具、または胸バンド自体が背中の下部後方に位置しているため、胸バンドの下端の連結が面倒である。
【０００７】
本考案は、上記問題点を解決するためになされたもので、肩掛けバンド又は胸バンドの連結を身体の前部において誰にでも簡単に行い得るようにしたリュックサックを提供することを目的とする。
【課題を解決するための手段】
【０００８】
上記目的を達成するために、本考案の請求項１に記載のリュックサックは、リュック本体の上端と下端部前面の左右両側部に、左右１対の肩掛けバンドを取付けてなるリュックサックにおいて、
前記左右１対の肩掛けバンドのうち少なくとも一方の肩掛けバンドを、上下に分離自在とし、かつ、分離された上下のバンドを連結手段を介して連結自在に構成するとともに、当該一方の肩掛けバンドの上端部に、他方の肩掛けバンドを一方の肩に掛けてリュック本体を背中に位置させたとき、その動きと連動して前上方を向き、前端が他方の肩の上面もしくはそれよりも若干前方に位置する肩当て支持部を形成したことを特徴としている。
この特徴によれば、他方の肩掛けバンドに腕を通して片方の肩に掛けると、一方の肩掛けバンドの肩当て支持部が他方の肩の上面またはそれより若干前方に位置するので、従来のように腕を大きく後方に折り曲げることなく、身体の前部側において一方の肩掛けバンドをリュック本体の下部前面に簡単に連結することができる。
【０００９】
本考案の請求項２に記載のリュックサックは、請求項１に記載のリュックサックであって、左右の肩掛けバンドの上端部同士を、硬質の連結バンドにより接続又は硬質の連結バンドにより一体的に形成することにより、肩当て支持部が他方の肩掛けバンドと連動するようにしたことを特徴としている。
この特徴によれば、肩当て支持部を、硬質の連結バンドを介して容易に他方の肩掛けバンドと連動させることができる。
【００１０】
本考案の請求項３に記載のリュックサックは、請求項２に記載のリュックサックであって、連結バンドを適度の可撓性を有するものとしたことを特徴としている。
この特徴によれば、左右の肩掛けバンドを肩に掛けたとき、連結バンドが肩に沿って撓むので、リュック本体を快適に背負うことができる。
【００１１】
本考案の請求項４に記載のリュックサックは、請求項２または３に記載のリュックサックであって、連結バンドを、リュック本体の上端に回動自在に取付けることにより、リュック本体の前面に沿って折り畳み可能としたことを特徴としている。
この特徴によれば、リュックサックの不使用時に、連結バンド及びそれに接続された肩掛けバンドをリュック本体の前面に沿って折り畳むことができるので、それらが邪魔になることはない。
【００１２】
本考案の請求項５に記載のリュックサックは、請求項１ないし４のいずれかに記載のリュックサックであって、前記リュック本体の下端部前面における前記他方の肩掛けバンドの反対側の側部に、前記上下に分離された肩掛けバンドにおける上部バンドの下端を連結するための連結片を、前方を向くように取付けたことを特徴としている。
この特徴によれば、上部バンドの下端と連結片との連結を、身体の前方において目視しながら容易に行うことができる。
【００１３】
本考案の請求項６に記載のリュックサックは、リュック本体の上端と下端部前面の一側端部に肩掛けバンドを取付けるとともに、この肩掛けバンドの中間部とリュック本体の下端部前面の他側端部とを、斜め上下方向を向く胸バンドにより接続するようにしたリュックサックにおいて、前記リュック本体の下端部前面の他側端部に、前記胸バンドの下端を連結するための連結片を、前方を向くように取付けたことを特徴としている。
この特徴によれば、肩掛けバンドの中間部に接続した胸バンドの下端を、身体の前方において目視しながら連結片に簡単に連結することができる。
【００１４】
本考案の請求項７に記載のリュックサックは、請求項５または６に記載のリュックサックであって、連結片の前端部を斜め前上方に折曲したことを特徴としている。
この特徴によれば、接続バンド又は胸バンドの下端の連結片への連結がより簡単となる。
【００１５】
本考案の請求項８に記載のリュックサックは、請求項５ないし７のいずれかに記載のリュックサックであって、連結片を、その後端を中心としてリュック本体の前面側に折り畳み可能としたことを特徴としている。
この特徴によれば、リュックサックの不使用時に連結片を折り畳むことができるので、邪魔になることはない。
【００１６】
本考案の請求項９に記載のリュックサックは、請求項５ないし８のいずれかに記載のリュックサックであって、連結片を着脱可能に取付けたことを特徴としている。
この特徴によれば、肩や腕の不具合が治るなどして、接続バンドや胸バンドを通常の要領で接続し得るようになったとき、連結片を取外すことができるので便利である。
【考案を実施するための最良の形態】
【００１７】
以下、本考案の実施形態を図面に基づいて説明する。
【００１８】
図１は、本考案のリュックサックの第１の実施形態の正面図で、リュック本体１における前面を構成する背当て部２の上端と前面下部の左側部には、一方の肩に掛ける肩掛けバンド３（他方の肩掛けバンド）が、中間部において長さ調節可能に、かつ上端を中心として上下に回動自在に縫着されている。すなわち、当該肩掛けバンド３は、その上下端がリュック本体１の背当て部２の上下端部に取付けられてアーチ状のバンドとして構成されており、当該肩掛けバンド３に片腕を通して肩に掛けることができるようになっている。
【００１９】
また、上記肩掛けバンド３の右方において背当て部２の上端には、他方の肩に掛ける肩掛けバンド４（一方の肩掛けバンド）の上端が上下に回動自在に縫着されている。該肩掛けバンド４は、その上下方向（長手方向）の略中央部付近で上下に分離自在に構成されており、該分離されたうちの上部バンドである接続バンド４ａの先端には、該接続バンド４ａの先端を後述する連結片１０に係止するための係止具５が取付けられている。
【００２０】
左右の肩掛けバンド３、４の上端部の裏面には、図２にも示すように、適度の可撓性を有する概ねＶ字状をなす硬質の革製の連結バンド６が縫着され、両肩掛けバンド３、４の上端部同士は連結バンド６を介して上下に連動するようになっている。
【００２１】
右方の肩掛けバンド４側の連結バンド６は、図５に示すように、リュック本体１を背中の中央部に位置させたとき、先端が肩のやや前方に位置してその上面に載置される肩当て支持部７となるように、長寸に形成されている。また、連結バンド６は、両肩掛けバンド３、４の縫着部より若干離間して、それらの裏面に縫着されており、不使用時には、背当て部２に沿って折り畳むことができる。
【００２２】
なお、上記連結バンド６を芯材として、両肩掛けバンド３、４の内部に収容して縫着してもよく、あるいは、連結バンド６自体を直接背当て部２の上端に上下に回動自在に縫着し、その先端に肩掛けバンド３、４を取付けるようにしてもよい。
【００２３】
背当て部２の前面下部の右側端には、図３に示すように、複数（３個）のフック８を前面に取付けた硬質の革製等よりなる取付片９が縫着され、この取付片９には、上記係止具５が連結可能な硬質の革製等よりなる連結片１０の支持板１１が、その複数のフック１２を上記フック８に係合することにより、着脱可能に取付けられている。
【００２４】
連結片１０の後端は、支持板１１の右端部前面に、ヒンジ１３により前方を向く使用位置と、背当て部２側に折り畳まれる不使用位置との間を回動し得るように取付けられている。連結片１０は、その前端部が斜め前上方に向くように円弧状に折曲され、上端には係止具５が係止（連結）される連結孔１４が形成されている。すなわち、これら係止具５と連結孔１４とは、上下に分離された肩掛けバンド４のうちの上部バンドを構成する接続バンド４ａの下端を、肩掛けバンド４の下部バンドの替わりに設けた連結片１０に連結するための連結手段を構成している。
【００２５】
なお、連結片１０は、側面視Ｌ字状に折曲してもよい。また、支持板１１と連結片１０を合成樹脂等により一体成形し、それらを樹脂ヒンジにより回動可能に連結してもよい。
【００２６】
リュックサックを背負う際には、まず図４に示すように、一方の肩掛けベルト３に腕を通して一方の肩に掛ける。この際、リュック本体１は、その重さにより肩掛けベルト３の上端よりも下がるため、図１に示すように、肩掛けベルト３の上端部と右方の肩掛けベルト４の上端部、すなわち、上部バンドとしての接続バンド４ａの上端部は、連結バンド６を介して連動し、上方を向くようになる。
【００２７】
従って、肩掛けベルト３を片方の肩に掛けてリュック本体１を背中の中央部に回すと、前述したように右方の肩掛けベルト４は上下に分離されていることから、図４及び図５に示すように、右方の肩掛けベルト４の肩当て支持部７が自動的に他方の肩の上面に載置される。これにより肩掛けベルト４の接続バンド４ａ並びに係止具５が身体の後部から前部に回り込んで身体の前部に垂下されることになる。
【００２８】
一方、連結片１０は、腕の下方において前方を向くとともに、前端が斜め前上方を向くようになるため、係止具５の連結孔１４への連結を、身体の前部で極めて簡単に行うことができる。すなわち、本実施例においては、上部バンドとしての接続バンド４ａと下部バンドの替わりに設けた連結片１０とが連結手段としての係止具５及び連結孔１４を介して連結されてアーチ状の肩掛けバンド４が構成されてなる。
【００２９】
なお、本実施例においては上下に分離された肩掛けバンド４の下部バンドの替わりに硬質の革製等よりなる連結片１０を用いたが、本発明においては、必ずしも上下に分離した肩掛けバンド４のうちの下部バンドを硬質材からなる連結片１０等にて構成する必要はなく、例えば該連結片１０を支持板１１と共に取外し、上部バンドとしての接続バンド４ａを、背当て部２の下部の右端に予め取付けた軟質材等からなる通常の下部バンド（図示略）等に連結するようにしてもよい。
【００３０】
図６及び図７は、本考案のリュックサックの第２の実施形態を示すもので、左方にのみ肩掛けバンド３を取付け、背当て部２の前面下部の右側端に上記と同様に構成される硬質の革製等よりなる連結片１０を同じ形態で取付けるとともに、連結片１０の連結孔１４と、肩掛けバンド３の中間の長さ調節用接続具１６に係止した引掛け具１７とを、斜め上下方向を向く胸バンド１８により接続し得るようにしたものである。
【００３１】
すなわち、図７に示すように、肩掛けバンド３に腕を通して肩に掛け、リュック本体１を背中の中央部に回すと、上記実施形態と同様、連結片１０は腕の下方において前方を向くとともに、前端が斜め上方を向くため、胸バンド１８の下端の係止具５を、身体の前部において連結片１０の連結孔１４に簡単に連結することができる。
【００３２】
胸バンド１８の上端は、フック１９を引掛け具１７に引っ掛けて肩掛けバンド３に接続すればよい。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、上記実施例においては、連結手段として係止具５及び連結孔１４が適用されていたが、上部バンドと下部バンドとを分離かつ連結自在としうるものであれば、例えばマジックテープ等、種々の連結手段を適用可能である。
【図面の簡単な説明】
【００３５】
【図１】本考案のリュックサックの第１の実施形態を示す正面図である。
【図２】同じく側面図である。
【図３】同じく、連結片と、その取付部の斜視図である。
【図４】同じく、一方の肩掛けバンドを一方の肩に掛けた状態の前方斜視図である。
【図５】同じく側面図である。
【図６】本考案のリュックサックの第２の実施形態を示す正面図である。
【図７】同じく、肩掛けバンドを肩に掛けて、胸ベルトを連結片と肩掛けバンドとに接続した状態の前方斜視図である。
【符号の説明】
【００３６】
１                リュック本体
２                背当て部（リュック本体の前面）
３、４            肩掛けバンド
４ａ              接続バンド（上部バンド）
５                係止具（連結手段）
６                連結バンド
７                肩当て支持部
８                フック
９                取付片
１０              連結片
１１              支持板
１２              フック
１３              ヒンジ
１４              連結孔（連結手段）
１６              長さ調節用接続具
１７              引掛け具
１８              胸バンド
１９              フック
【図１】
0003104318.tif 000003
【図２】
0003104318.tif 000004
【図３】
0003104318.tif 000005
【図４】
0003104318.tif 000006
【図５】
0003104318.tif 000007
【図６】
0003104318.tif 000008
【図７】
0003104318.tif 000009